(57)【要約】【課題】  出口通路の浸蝕を防止できるスチームトラップを提供する。【解決手段】  弁孔９と出口６とが同軸に形成されていなくて、弁孔９からの復水流が衝突する鋳造の出口通路４を有するものにおいて、弁孔９と出口通路４の間の弁孔９に対向する位置に、シリンダ１４と、シリンダ１４内に変位可能に配されたピストン１５と、ピストン１５とシリンダ１４で形成される圧縮室１６を弁孔９側に連通する絞り孔１８と、ピストン１５を弁孔９側に付勢するコイルバネ１７とを有する緩衝器１３を配置する。弁孔９を通過した復水はピストン１５に衝突し、コイルバネ１７の弾性力に抗してピストン１５を圧縮室１６側に変位させ、衝撃力がコイルバネ１７の弾性力により緩衝された後出口通路４を通過するので、出口通路４が浸蝕されることがない。【選択図】      図１
2005121087.tif 000002
【特許請求の範囲】
【請求項１】
弁孔と出口とが同軸に形成されていなくて、弁孔からの復水流が衝突する鋳造の出口通路を有するものにおいて、弁孔と出口通路の間の弁孔に対向する位置に、シリンダと、シリンダ内に変位可能に配されたピストンと、ピストンとシリンダで形成される圧縮室を弁孔側に連通する絞り孔と、ピストンを弁孔側に付勢するコイルバネとを有する緩衝器を配置したことを特徴とするスチームトラップ。
【発明の詳細な説明】
【技術分野】
【０００１】
本発明は、蒸気輸送管や蒸気使用機器等の蒸気配管系に発生する復水を自動的に排出するスチームトラップに関する。蒸気配管系においては復水の発生は不可避であり、適宜発生した復水を系外に排出する必要がある。この復水を自動的に排出する装置がスチームトラップと呼ばれる特殊なバルブである。
【背景技術】
【０００２】
スチームトラップは、弁部材の駆動原理によって、蒸気と復水の比重差を利用したメカニカルタイプ、蒸気と復水の熱力学的特性差を利用したサーモダイナミックタイプ、蒸気と復水の温度差を利用したサーモスタチックタイプ等に分類されるが、その多くのものは、入口と出口を同一軸上に形成して配管の便を図っている。従来のスチームトラップを実公昭５５−３３１０８号公報を参照して説明する。これは、球形の中空フロートを用いたフリーフロート式スチームトラップである。ケーシングで入口と入口室と出口通路と出口が形成されている。ケーシングは材料が低廉であり、複雑な形状を作り易い理由から鋳造される。入口と出口はケーシングの上部に同一軸上に形成されている。入口室と出口通路を連通する弁孔を開けた弁座部材がケーシングの下部に取り付けられている。弁孔と出口とは同一軸上に形成されておらず、出口通路を介して連通している。弁座部材に離着座して弁孔を開閉するフロートが入口室内に自由状態で配置されている。
【０００３】
上記従来のスチームトラップは、弁孔から出口通路に排出される復水が出口通路の周壁の一部に局所的に衝突するために、比較的短期間に出口通路が浸食される問題点があった。
【特許文献１】実公昭５５−３３１０８号公報
【発明の開示】
【発明が解決しようとする課題】
【０００４】
解決しようとする課題は、出口通路の浸蝕を防止できるスチームトラップを提供することである。
【課題を解決するための手段】
【０００５】
本発明は、弁孔と出口とが同軸に形成されていなくて、弁孔からの復水流が衝突する鋳造の出口通路を有するスチームトラップにおいて、弁孔と出口通路の間の弁孔に対向する位置に、シリンダと、シリンダ内に変位可能に配されたピストンと、ピストンとシリンダで形成される圧縮室を弁孔側に連通する絞り孔と、ピストンを弁孔側に付勢するコイルバネとを有する緩衝器を配置したことを特徴とする。
【発明の効果】
【０００６】
本発明は、弁孔から出口通路に排出される復水の衝撃力が弁孔と出口通路の間の緩衝器で緩衝されるので、出口通路の浸蝕を防止することができるという優れた効果を生じる。
【発明を実施するための最良の形態】
【０００７】
本発明のスチームトラップは、弁孔と出口通路の間の弁孔に対向する位置に、シリンダと、シリンダ内に変位可能に配されたピストンと、ピストンとシリンダで形成される圧縮室を弁孔側に連通する絞り孔と、ピストンを弁孔側に付勢するコイルバネとを有する緩衝器を配置したものである。そのため、弁孔を通過した復水はピストンに衝突し、コイルバネの弾性力に抗してピストンを圧縮室側に変位させることにより、衝撃力がコイルバネの弾性力により緩衝された後出口通路を通過する。そのため、衝撃力の緩衝された復水が出口通路に衝突するので、出口通路が浸蝕されることがない。
【実施例１】
【０００８】
上記の技術的手段の具体例を示す実施例を説明する（図１及び図２参照）。本実施例はフリーフロート式スチームトラップに適用したものである。鋳造成形された本体１に蓋部材２をボルトで締結して、内部に入口室３と出口通路４を有するケーシングが形成される。本体１の上部に入口５と出口６が同一軸上に形成される。入口室３と出口通路４を隔てる本体１の仕切壁７の下部に弁座部材８が取り付けられる。弁座部材８には入口室３に開口する弁孔９と、弁孔９の下流側の大径孔１０と、大径孔１０から上方の出口通路４に開口する通孔１１が形成される。弁座部材８は本体１に開けた弁座取付口１２から挿入され、弁座取付口１２にねじ結合される緩衝器１３により保持される。緩衝器１３は弁孔９と出口通路４の間で弁孔９に対向して位置する。入口５は入口室３の上部に連通され、出口６は入口室３の下部から弁孔９と大径孔１０と通孔１１から立ち上がった出口通路４を通して連通される。
【０００９】
緩衝器１３は、円筒状で一端の弁孔９側が開口され他端が閉塞されたシリンダ１４と、シリンダ１４内に変位可能に配されたピストン１５と、ピストン１５とシリンダ１４で形成される圧縮室１６内に配されピストン１５を弁孔９側に付勢するコイルバネ１７と、ピストン１５に開けられ圧縮室１６を弁孔９側に連通する絞り孔１８とから形成される。緩衝器１３を構成するピストン１５等の部材は耐浸蝕性を有するステンレス鋼で作られる。入口室３にステンレス鋼薄板で中空に作った弁手段としての球形フロート１９が自由状態で収容される。球形フロート１９は外表面が弁座部材８に直接離着座して弁孔９を開閉する。入口室３の下端に球形フロート１９が弁孔９を塞いだ位置で球形フロート１９を保持するフロート座２０が形成される。
【００１０】
上記フリーフロート式スチームトラップの作動は次の通りである。入口５は蒸気使用機器等の復水発生個所に接続する。復水と蒸気が入口室３に流入し、復水が下部に蒸気が上部に分離して溜まる。球形フロート１９は入口室３内の液位に従って浮上降下し、弁孔９を開閉する。弁孔９が開口されると、入口室３の復水が弁孔９から大径孔１０を通り、ピストン１５に衝突し、コイルバネ１７の弾性力に抗してピストン１５を圧縮室側に変位させた後通孔１１から出口通路４を通して出口６に排出される。出口通路４は緩衝器１３により衝撃力の緩衝された復水が衝突するので、浸蝕されることがない。
【００１１】
上記実施例ではフリーフロート式スチームトラップを例示したが、本発明はレバーフロート式やフリーバケット式やレバーバケット式あるいはディスク式その他の型式のスチームトラップにも適用できるものである。
【図面の簡単な説明】
【００１２】
【図１】本発明のフリーフロート式スチームトラップの断面図。
【符号の説明】
【００１３】
１  本体
２  蓋部材
３  入口室
４  出口通路
５  入口
６  出口
８  弁座部材
９  弁孔
１０  大径孔
１１  通孔
１３  緩衝器
１４  シリンダ
１５  ピストン
１６  圧縮室
１７  コイルバネ
１８  絞り孔
１９  球形フロート
【図１】
2005121087.tif 000003